(57)【要約】      （修正有）【課題】使用時には一定位置に展開して寿司を挿入でき、不使用時には空間を取らないよう小体積で収納し、また数個を並列して使用することが可能な、折り畳み式手巻き寿司挿入台を提供する。【解決手段】中央基板２０の一端が定位板３０と可動連結され、中央基板の他の一端が基盤と可動連結され、定位板及び基盤の少なくとも一つが、手巻き寿司定位孔を有し、定位板及び基盤は中央基板に向って折畳み可能であり、また、前記中央基板の上下端において、相対する位置に定位することができる。【選択図】図２
0003115611.tif 000002
【実用新案登録請求の範囲】
【請求項１】
中央基板、定位板、及び基盤からなる折畳み式手巻き寿司挿入台において、
前記中央基板の一端が、定位板と可動連結され、
前記中央基板の他の一端が、基盤と可動連結され、
前記定位板及び基盤の少なくとも一つが、手巻き寿司定位孔を有し、
前記定位板及び基盤が、前記中央基板の可動連結点を軸心として作動し、前記の中央基板に向って折畳み可能であり、
前記定位板及び基盤が、前期中央基板の上下端において、相対するよう定位することができる、
折畳み式手巻き寿司挿入台。
【請求項２】
前記中央基板の一端が、中央割れ目及び前記中央基板から突出した連結軸を有し、
前記中央割れ目に肩部が形成され、
前記定位板の一端が、前記中空連結軸及び前記中央基板の肩部に適合する頚部を有し、
前記定位板の中空連結軸が、前記中央基板の中央割れ目にはめ込まれ、
前記中央基板の連結軸及び前記定位板の中空連結軸に、第一シャフトが挿入され、前記中央基板及び前記定位板が可動連結され、
前記中央基板の他の一端が、横方向に伸びる折畳片を有し、
前記折畳片に、中心孔を有する中央割れ目が形成され、
前記基盤の一端が、前記中央基板の折畳辺の中央割れ目と適合する舌片部を有し、その両側に肩部が形成され、
前記基盤の舌片部が、中心孔を有し、
前記基盤の舌片部が、前記中央基板の折畳辺の中央割れ目にはめ込まれ、
前記中央基板の中心孔及び前記基盤の中心孔に第二シャフトが挿入され、前記中央基板及び前記基盤が可動連結される、
請求項１に記載の折畳み式手巻き寿司挿入台。
【請求項３】
前記定位板が、手巻き寿司定位孔を有することを特徴とする、請求項１又は２に記載の折畳み式手巻き寿司挿入台。
【請求項４】
前記定位板及び基盤が、手巻き寿司定位孔を有することを特徴とする、請求項１又は２に記載の折畳み式手巻き寿司挿入台。
【請求項５】
前記基盤が、その両側に、接辺を有することを特徴とする、請求項１〜４の何れか一に記載の折畳み式手巻き寿司挿入台。
【請求項６】
前記定位板が、その両側に、接辺を有することを特徴とする、請求項１〜５の何れか一に記載の折畳み式手巻き寿司挿入台。
【請求項７】
前記定位板及び基盤が、前記中央基板の一辺の半分の長さに設定され、
前記中央基板が、その両端に、中央割れ目及び前記中央基板から突出した連結軸を有し、
前記中央割れ目に肩部が形成され、
前記定位板及び基盤の一端が、中空連結軸及び前記中央基板の肩部に適合する頚部を有し、
前記定位板及び基盤の中空連結軸が、中央基板の中央割れ目にはめ込まれ、
前記中央基板の連結軸、定位板及び基盤の中空連結軸にシャフトが挿入され、中央基板と定位板及び基盤が可動連結される、
請求項１に記載の折畳み式寿司挿入台。
【請求項８】
前記定位板及び基盤が、手巻き寿司定位孔を有することを特徴とする、請求項７に記載の折畳み式手巻き寿司挿入台。
【請求項９】
前記定位板及び基盤の少なくとも一つが、その両側に接辺を有することを特徴とする、請求項７又は８に記載の折畳み式手巻き寿司挿入台。
【考案の詳細な説明】
【技術分野】
【０００１】
本考案は折畳み式手巻き寿司挿入台に関し、特に、使用時には定位に展開でき、不使用時には、折り畳んで体積を取らないようでき、また数個を並列して使用することが可能な折り畳み式手巻き寿司挿入台に関する。
【背景技術】
【０００２】
従来より手巻き寿司は、外側の海苔の内部に色々な食材、例えば海鮮・野菜及びマヨネーズ等を入れることにより、数種類の異なる食材の味を総合して味わうことができ、消費者に人気となっている。前記の海苔は、通常は円錐状に巻かれ、上端は内部に食材を入れるため、大きく開口し、底部は内部の食材が外部に漏れるのを防ぐため、密封状になっている。食用時、手で海苔の外側を握って食べる。この手巻き寿司は円錐状になっているので、直立また横置きができないため、手巻き寿司挿入台を利用して、一定位置に挿してから、消費者に提供することとなる。
【０００３】
従来の手巻き寿司挿入台１０の構造が図１に示されており、主に台座１１の頂点に定位板１２を設け、両者の間に中央支柱１３を連結させ、前記の定位板１２及び特定口径の定位孔１４を予め設置し、図に示すように手巻き寿司１５を定位孔１４に挿す。
【０００４】
従来の手巻き寿司挿入台１０の構造は、台座１１、定位板１２及び両者の間にある中央支柱１３等のパーツが固定接合され、即ち不使用時の体積が固定され、より大きな保管空間を要し理想的ではないので、改良する必要があった。
【考案の開示】
【考案が解決しようとする課題】
【０００５】
本考案の解決しようとする課題は、折畳み式手巻き寿司挿入台を提供し、特に、使用時には定位に展開して手巻き寿司を挿入でき、不使用時には空間を取らないよう小体積で収納し、また数個を並列して使用することが可能な、折り畳み式手巻き寿司挿入台を提供することである。
【課題を解決するための手段】
【０００６】
すなわち、折畳み式手巻き寿司挿入台は、以下よりなる。
１．中央基板、定位板、及び基盤からなる折畳み式手巻き寿司挿入台において、
前記中央基板の一端が、定位板と可動連結され、
前記中央基板の他の一端が、基盤と可動連結され、
前記定位板及び基盤の少なくとも一つが、手巻き寿司定位孔を有し、
前記定位板及び基盤が、前記中央基板の可動連結点を軸心として作動し、前記の中央基板に向って折畳み可能であり、
前記定位板及び基盤が、前期中央基板の上下端において、相対するよう定位することができる、
折畳み式手巻き寿司挿入台。
２．前記中央基板の一端が、中央割れ目及び前記中央基板から突出した連結軸を有し、
前記中央割れ目に肩部が形成され、
前記定位板の一端が、中空連結軸及び前記中央基板の肩部に適合する頚部を有し、
前記定位板の中空連結軸が、前記中央基板の中央割れ目にはめ込まれ、
前記中央基板の連結軸及び前記定位板の中空連結軸に、第一シャフトが挿入され、前記中央基板及び前記定位板が可動連結され、
前記中央基板の他の一端が、横方向に伸びる折畳片を有し、
前記折畳片に、中心孔を有する中央割れ目が形成され、
前記基盤の一端が、前記中央基板の折畳辺の中央割れ目と適合する舌片部を有し、その両側に肩部が形成され、
前記基盤の舌片部が、中心孔を有し、
前記基盤の舌片部が、前記中央基板の折畳辺の中央割れ目にはめ込まれ、
前記中央基板の中心孔及び前記基盤の中心孔に第二シャフトが挿入され、前記中央基板及び前記基盤が可動連結される、
前項１に記載の折畳み式手巻き寿司挿入台。
３．前記定位板が、手巻き寿司定位孔を有することを特徴とする、前項１又は２に記載の折畳み式手巻き寿司挿入台。
４．前記定位板及び基盤が、手巻き寿司定位孔を有することを特徴とする、前項１又は２に記載の折畳み式手巻き寿司挿入台。
５．前記基盤が、その両側に、接辺を有することを特徴とする、前項１〜４の何れか一に記載の折畳み式手巻き寿司挿入台。
６．前記定位板が、その両側に、接辺を有することを特徴とする、前項１〜５の何れか一に記載の折畳み式手巻き寿司挿入台。
７．前記定位板及び基盤が、前記中央基板の一辺の半分の長さに設定され、
前記中央基板が、その両端に、中央割れ目及び前記中央基板から突出した連結軸を有し、
前記中央割れ目に肩部が形成され、
前記定位板及び基盤の一端が、中空連結軸及び前記中央割れ目の肩部に適合する頚部を有し、
前記定位板及び基盤の中空連結軸が、中央基板の中央割れ目にはめ込まれ、
前記中央基板の連結軸、定位板及び基盤の中空連結軸にシャフトが挿入され、中央基板と定位板及び基盤が可動連結される、
前項１に記載の折畳み式寿司挿入台。
８．前記定位板及び基盤が、手巻き寿司定位孔を有することを特徴とする、前項７に記載の折畳み式手巻き寿司挿入台。
９．前記定位板及び基盤の少なくとも一つが、その両側に接辺を有することを特徴とする、前項７又は８に記載の折畳み式手巻き寿司挿入台。
【考案の効果】
【０００７】
本考案に係る折畳み式手巻き寿司挿入台によれば、不使用時には折り畳んで体積をとらないようにでき、収納に便利であり、また、数個を並列して使用することができ、手巻き寿司の提供が容易となる。
【考案を実施するための最良の形態】
【０００８】
以下に、本考案の折畳み式手巻き寿司挿入台の一実施形態を示し、具体的に説明するが、本考案はこれらに限定されるものではない。
【０００９】
図２及び３に示すように、本考案の一実施形態では、中央基板、定位板、及び基盤からなる折畳み式手巻き寿司挿入台において、中央基板の一端が定位板３０と可動連結され、他の一端が基盤４０と可動連結される。定位板３０及び基盤４０の少なくとも一つが手巻き寿司定位孔を有し、定位板３０と基盤４０は、中央基板２０の可動連結点を作動の軸心とし、各々前記の中央基板２０に向って折畳み収納状態とすることができ、また、中央基板２０の上下端部において、相対するように定位させることで使用状態とすることができる。
【００１０】
中央基板２０の一端（図３における頂点）には、中央部の割れ目２２及び中央基板２０の表面からやや突出した連結軸２１が設けられ、中央割れ目２２には肩部２３が形成される。定位板３０の一端には、中空連結軸３１及び中央基板２０の肩部２３に適合する頚部３２が設けられる。定位板３０の中空連結軸３１を、中央基板２０の中央割れ目２２にはめ込み、中央基板２０の連結軸２１及び定位板３０の中空連結軸３１に第一シャフトを挿入し、中央基板２０と定位板を可動連結する。定位板３０には手巻き寿司定位孔３３が設けられる。中央基板２０の他の一端には、横方向に伸びた折畳片２４が設けられる。折畳片２４には、中央割れ目２５が設けられ、中央割れ目２５には中心孔２６が設けられる。基盤４０の一端には、中央基板２０の折畳辺２４の中央割れ目２５と適合する舌片部４１が設けられ、その両側に肩部４３が形成される。基盤４０の舌片部４１に中心孔４２が設けられる。基盤４０の舌片部４１を、中央基板２０の折畳辺２４の中央割れ目２５にはめ込み、中心孔２６及び４２に第二シャフト６０を挿入して、中央基板２０と基盤４０とが可動連結される。
【００１１】
図２及び図４に示すように、本考案の折畳み式手巻き寿司挿入台では、定位板３０及び基盤４０が、中央基板２０の可動連結点を軸心として、中央基板２０に向かって折り畳むことができるので、小体積化が実現される。図４に示すように、本実施形態では、まず、定位板３０を矢印の方向に沿って中央基板２０に向かって折り畳み、基盤４０を矢印の方向に向かって定位板３０の表面に折り畳み、図２の扁平体とすることができる。
【００１２】
本考案の折畳み式手巻き寿司挿入台は、図４に示す折り畳み動作と逆の動作を行うことにより、図５に示すような使用状態に設定することが可能である。この時、中央基板２０の肩部２３が定位板３０の頚部３２を支え、基盤４０の肩部４３と中央基板２０の折畳辺２４の角部とが押合って固定され、中央基板の両端において相対するよう定位させることができる。従って、孔３３に一つの手巻き寿司を挿入するための、安定した使用状態が得られる。
【００１３】
図６は、本考案の折畳み式手巻き寿司挿入台の他の実施形態を示すものである。本考案の折畳み式手巻寿司挿入台は、上記実施形態とは、上下逆の状態で使用可能であり、定位板３０及び基盤４０に手巻き寿司定位孔３３及び３３０を設けることが可能である。
【００１４】
図７は、本考案の折畳み式手巻き寿司挿入台の更なる実施形態を示すものである。ここで、定位板３０又は基盤４０の両側に、更なる構造を設定することが可能である。本実施形態では、基盤４０の両側に、対応する接辺４４及び４５を成型することが可能であり、数個を並列して使用する際に、互いの接辺を合わせることによって、安定性を増すことができる。
【００１５】
図８は、本考案の折畳み式手巻き寿司挿入台の更に他の実施形態を示すものである。ここで、基板２００は比較的長く設定され、定位板３００及び基盤４００が、基板２００の一片の半分の長さに設定される。定位板３００及び基盤４００は、図２〜５の実施形態における、定位板と中央基板との可動連結構造を用いることが可能である。基板２００の両端に、中央割れ目及び中央基板の表面から突出した連結軸が設けられ、中央割れ目には肩部が形成される。定位板３００及び基盤４００の一端には、中空連結軸及び中央基板の肩部に適合する頚部が設けられる。定位板３００及び基盤４００の中空連結軸を中央基板２００の中央割れ目にはめ込み、中央基板２００の連結軸、定位板３００及び基盤４００の中空連結軸にシャフトを挿入し、中央基板２００と定位板３００及び基盤４００を可動連結する。本実施形態によれば、手巻き寿司定位孔３３は、定位板３００又は基盤４００の少なくとも一つに設けられ、または、定位板３００及び基盤４００の両方に設けることも可能である。この実施形態の特徴は、定位板３００及び基盤４００を、基板２００の同一面に折畳むことができるので、より小体積化が実現されることである。また、定位板３００及び基盤４００の少なくとも一つの両側に、対応する接辺４４及び４５を成型することが可能である。
【産業上の利用可能性】
【００１６】
本考案によって、手巻き寿司挿入台が、使用時に手巻き寿司を挿入するよう展開され、不使用時に、小体積で収納することができ、また数個を並列に並べて安定して使用することが可能となった。
【図面の簡単な説明】
【００１７】
【図１】従来の手巻き寿司挿入台の構造を示す図である。
【図２】本考案の折畳まれた状態を示す図である。
【図３】本考案の分解図である。
【図４】本考案の折畳み動作を示す図である。
【図５】本考案の使用時の状態を示す図である。
【図６】本考案の他の実施形態を示す図である。
【図７】本考案の更なる実施形態を示す図である。
【図８】本考案の更に他の実施形態を示す図である。
【符号の説明】
【００１８】
２０      中央基板
２１      連結軸
２２      中央割れ目
２３      肩部
２４      折畳辺
２５      中央割れ目
２６      中心孔
３０      定位板
３１      中空連結軸
３２      頚部
３３      定位孔
４０      基盤
４１      舌片部
４２      中心孔
４３      肩部
４４      接辺
４５      接辺
５０      第一シャフト
６０      第二シャフト
２００    基板
３００    定位板
４００    基盤
【図１】
0003115611.tif 000003
【図２】
0003115611.tif 000004
【図３】
0003115611.tif 000005
【図４】
0003115611.tif 000006
【図５】
0003115611.tif 000007
【図６】
0003115611.tif 000008
【図７】
0003115611.tif 000009
【図８】
0003115611.tif 000010